(57)【要約】      （修正有）【課題】三行広告のような短文形式の簡単な広告を、比較的少ない費用で簡単に出稿及び掲載できると共に、閲覧される機会が多くなる安価な広告情報提供システムを提供する。【解決手段】広告情報提供システムは、広告データを管理する管理会社と、管理会社と広告配信のアフィリエイト契約を提携している提携ウエブサイトと、提携ウエブサイトに通信可能に接続され、提携ウエブサイトに広告申し込みデータと広告データを配信するクライアントからなり、管理会社は、クライアントからの広告申し込みデータと広告データを管理し、提携ウエブサイトは、管理会社とクライアントの間で当該クライアントの広告申し込みデータと広告データを受け渡す。クライアントは、広告の申し込みと、管理会社との提携申し込みを、広告が掲載されている画面上から行え、クライアントがいずれかの提携ウエブサイトに広告を申し込むと、同じ広告が他の提携ウエブサイトにも反映される。【選択図】図１
2008015603.tif 000002
【特許請求の範囲】
【請求項１】
広告データを管理する管理会社と、該管理会社と広告配信の契約を提携している提携ウエブサイトと、該提携ウエブサイトに通信可能に接続され当該提携ウエブサイトに広告申し込みデータと広告データを配信するクライアントからなる広告情報提供システムであって、
上記管理会社は、上記クライアントからの広告申し込みデータと広告データを管理する管理手段を有し、
上記提携ウエブサイトは、上記管理会社と上記クライアントの間で上記クライアントの広告申し込みデータと広告データを受け渡しを行う送受信処理手段を有し、
上記クライアントは上記管理会社との間で上記提携ウエブサイトを介して広告申し込みデータと広告データを送信すると共に、当該広告申し込みデータと広告データに基づく上記管理会社の管理手段による管理データを受信する送受信手段を有することを特徴とする広告情報提供システム。
【請求項２】
上記提携ウエブサイトは、他の提携ウエブサイトと共に、上記管理会社と通信網を介して接続されており、アフィリエイト契約を提携していることを特徴とする請求項１に記載の広告情報提供システム。
【請求項３】
上記管理会社と、当該管理会社との提携会社である各提携ウエブサイトは、各種データを相互にリンクして送受信し、各提携ウエブサイトとクライアントも各種データを相互に送受信し、広告主であるクライアントが管理会社に広告を申し込むと、申し込んだ広告データが管理会社とアフィリエイト契約を締結している他の全ての提携ウエブサイトにも配信されることを特徴とする請求項１または２に記載の広告情報提供システム。
【請求項４】
上記クライアントが広告を申し込むと、上記管理会社は、広告データを基に処理して、所定の広告文を含む広告データ画像と、詳細説明場所、同カテゴリーの他の広告、広告出稿の窓口及び広告宣伝提携窓口を含む広告仕様データ画像を作成し、当該広告データ画像と広告仕様データ画像をクライアントの画面に送信し、上記広告文をクリックすると上記広告仕様データ画像へジャンプすることを特徴とする請求項１乃至３のいずれかに記載の広告情報提供システム。
【請求項５】
クライアントから提携ウエブサイトへの広告希望申し込みがあると、上記管理会社に瞬時に反映され、管理者は違法性あるいは適性か否かを判断し、違法性がなければ、管理画面より承認し、承認の通知をクライアントに通知することを特徴とする請求項１乃至４のいずれかに記載の広告情報提供システム。
【請求項６】
上記提携ウエブサイトは、運営サイトの広告データを閲覧し、クライアント専用ページから提携ウエブサイトの登録のページ移行し、ＩＤとパスワードを決め、提携に必要な情報を入力すると、提携ウエブサイトの画面が表示されることを特徴とする請求項１乃至５のいずれかに記載の広告情報提供システム。
【請求項７】
上記クライアントでは、クライアント専用ページから申し込みページへ移行し、ＩＤとパスワードを決め、広告申し込みに必要な顧客情報を入力することを特徴とする請求項１乃至６のいずれかに記載の広告情報提供システム。
【請求項８】
管理会社は、クライアント専用ページで表示されるＰＲコメントと三行広告および画像を登録し、確認画面を参照して間違いなければ、申し込み人であるクライアントに対して専用のＩＤとパスワードが発行し、三行広告を管理する専用ページ（管理画面）が上記クライアントに与えられることを特徴とする請求項１乃至７に記載の広告情報提供システム。
【発明の詳細な説明】
【技術分野】
【０００１】
本発明は、広告情報提供システムに係り、特に、インターネットに代表されるネットワークを介して広告情報とコンテンツ情報とを効果的に配信する広告情報提供システムに関するものである。
【背景技術】
【０００２】
近年、インターネットなどの通信ネットワークの普及により、宣伝広告媒体をホームページに掲載したり、電子メールにより通知する方法が提案されている。  インターネットや電子メール等を用いた広告手法には、従来より特許文献１や特許文献２見られるようなシステムが提案されている。    
【特許文献１】特開２００２−２４５８７号公報
【特許文献２】特開２００３−３０５３５号公報
【発明の開示】
【発明が解決しようとする課題】
【０００３】
従来より、特許文献１や２等に見られるように、各種の手法が存在するが、これら従来の手法は、その殆どが広告主が配信する広告をユーザ端末で閲覧する手法、即ち、パーソナルコンピュータ等でウエブサイトを閲覧する手法であって、いずれも配信と閲覧の機会が少なくて広告効果が低く、また、広告効果が低い割に広告費が高い、広告の出稿が面倒で、三行広告のような簡単な広告には容易に利用できないという問題があった。
【０００４】
本発明は、上記の問題点に鑑みてなされたもので、その目的は、三行広告のような短文形式の簡単な広告を、比較的少ない費用で簡単に出稿及び掲載できると共に、閲覧される機会が従来の広告手法よりも多くなるように工夫した広告情報提供システムを提供することである。
【課題を解決するための手段】
【０００５】
上記目的を達成するために、請求項１の発明は、広告データを管理する管理会社と、該管理会社と広告配信の契約を提携している提携ウエブサイトと、該提携ウエブサイトに通信可能に接続され当該提携ウエブサイトに広告申し込みデータと広告データを配信するクライアントからなる広告情報提供システムであって、
上記管理会社は、上記クライアントからの広告申し込みデータと広告データを管理する管理手段を有し、上記提携ウエブサイトは、上記管理会社と上記クライアントの間で上記クライアントの広告申し込みデータと広告データの受け渡しを行う送受信処理手段を有し、上記クライアントは上記管理会社との間で上記提携ウエブサイトを介して広告申し込みデータと広告データを送信すると共に、当該広告申し込みデータと広告データに基づく上記管理会社の管理手段による管理データを受信する送受信手段を有することを特徴とする。
【０００６】
請求項２の発明は、上記提携ウエブサイトは、他の提携ウエブサイトと共に、上記管理会社と通信網を介して接続されており、アフィリエイト契約を提携していることを特徴とする。
【０００７】
請求項３の発明は、上記管理会社と、当該管理会社との提携会社である各提携ウエブサイトは、各種データを相互にリンクして送受信し、各提携ウエブサイトとクライアントも各種データを相互に送受信し、広告主であるクライアントが管理会社に広告を申し込むと、申し込んだ広告データが管理会社とアフィリエイト契約を締結している他の全ての提携ウエブサイトにも配信されることを特徴とする。
【０００８】
請求項４の発明は、上記クライアントが広告を申し込むと、上記管理会社は、広告データを基に処理して、所定の広告文を含む広告データ画像と、詳細説明場所、同カテゴリーの他の広告、広告出稿の窓口及び広告宣伝提携窓口を含む広告仕様データ画像を作成し、当該広告データ画像と広告仕様データ画像をクライアントの画面に送信し、上記広告文をクリックすると上記広告仕様データ画像へジャンプすることを特徴とする。  
【０００９】
請求項５の発明は、クライアントから提携ウエブサイトへの広告希望申し込みがあると、上記管理会社に瞬時に反映され、管理者は違法性あるいは適性か否かを判断し、違法性がなければ、管理画面より承認し、承認の通知をクライアントに通知することを特徴とする。  
【００１０】
請求項６の発明は、上記提携ウエブサイトは、運営サイトの広告データを閲覧し、クライアント専用ページから提携ウエブサイトの登録のページ移行し、ＩＤとパスワードを決め、提携に必要な情報を入力すると、提携ウエブサイトの画面が表示されることを特徴とする。
【００１１】
請求項７の発明は、上記クライアントでは、クライアント専用ページから申し込みページへ移行し、ＩＤとパスワードを決め、広告申し込みに必要な顧客情報を入力することを特徴とする。
【００１２】
請求項８の発明は、管理会社は、クライアント専用ページで表示されるＰＲコメントと三行広告および画像を登録し、確認画面を参照して間違いなければ、申し込み人であるクライアントに対して専用のＩＤとパスワードが発行し、三行広告を管理する専用ページ（管理画面）が上記クライアントに与えられることを特徴とする。
【発明の効果】
【００１３】
本発明によれば、三行広告の申し込みを、三行広告が掲載されている画面上から行え、広告会社（管理会社）との提携申し込みを、三行広告が掲載されている画面上から行えるので、ウエブサイトによる管理会社との提携が簡単になる。投稿された広告が管理会社が用意したリンク集に掲載され、コミュニティ広場では類似の広告をまとめて見ることができ、クライアントがあるウエブサイトに広告を申し込むと、広告の自動相互リンクにより、管理会社とアフィリエイト契約を締結している他の全ての契約済みサイトにも同じ広告が反映されて、広告の機会が広げられるので、三行広告のような短文形式の簡単な広告を、比較的少ない費用で簡単に出稿及び掲載できると共に、閲覧される機会が従来の広告手法よりも多くなる利点を発揮することができる。
【発明を実施するための最良の形態】
【００１４】
以下に、本発明の広告情報提供システムについて、図面を参照しながら説明すると、図１は本発明の実施例による広告情報提供システムの構成図であって、図１において、１０は広告会社（広告情報管理会社）、１１Ａ乃至１１Ｄは提携ウエブサイト（Ｗｅｂサイト）、１２…は広告主であるクライアント、１３は通信ネットであるインターネットである。管理会社１０と各提携ウエブサイト１１Ａ乃至１１Ｄはインターネット１３を介して繋がっている。また、各クライアント１２と所定の提携ウエブサイト１１Ａも通信可能に繋がっている。さらに、図１では提携ウエブサイト１１Ａのみがクライアント１２と関連することのみを示しているが、他の提携ウエブサイト１１Ｂ、１１Ｃ及び１１Ｄも、それぞれ、関連するクライアントを有する。
【００１５】
これらの管理会社１０、各提携ウエブサイト１１Ａ乃至１１Ｄ、および各クライアント１２…は、それぞれ、中央演算処理部（ＣＰＵ）、メモリ、ハードディスク、キーボード、マウス、ＣＤ−ＲＯＭ、ディスプレイ、および通信ボード等を有するコンピュータシステムを備える。
【００１６】
ＣＰＵは、ハードディスクに記録されている広告情報提供サーバプログラムに基づいた処理を行う。メモリは、ＣＰＵに対して作業領域を提供する。ハードディスクは、オペレーティングシステム（ＯＳ）、広告情報提供用プログラム等その他のアプリケーションを記録保持すると共に、また、ハードディスクは、各提携ウエブサイト等に提供するコンテンツページおよび広告ページ等を記録保持する。
【００１７】
ＣＤ−ＲＯＭドライブは、広告情報サーバプログラムが記録されているＣＤ−ＲＯＭから広告提供サーバプログラムを読み取る等、ＣＤ−ＲＯＭデータの読み取りを行う。通信ポートは、インターネット等に接続する通信回路を有しており、外部の通信機器とデータの送受信を行う。
【００１８】
ハードディスクには、オペレーティングシステム、サーバプログラム、広告情報提供用プログラム等のプログラムが記録されていると共に、コンテンツページ及び広告ページが、ホームページ用のデータとして記録されている。ＯＳは、各種プログラムの実行管理や周辺装置の管理を行うプログラムである。サーバプログラムは、ＵＲＬ（Ｕｎｉｆｏｒｍ  Ｒｅｓｏｕｒｃｅ  Ｌｏｃａｔｏｒ）で示された位置にあるデータを、ＨＴＴＰ（Ｈｙｐｅｒ  Ｔｅｘｔ  Ｔｒａｎｓｅｆｅｒ  Ｐｒｏｔｏｃｏｌ）で転送するためのプログラムである。
【００１９】
広告情報プログラムは、選択したコンテンツへのリンクを埋め込むための広告提供プログラム、コンテンツに送信した広告ページのリンクを含ませるためのコンテンツ提供プログラム、及び、送信した広告ページに対応して記録されている受信回数を更新するための広告カウントプログラムを有している。
【００２０】
コンテンツページとは、コンテンツ提供者が提供するウエブページ用のデータである。広告ページは、広告提供者が提供する広告が表示されたウエブページ用のデータである。
【００２１】
管理会社１０と、当該管理会社１０との提携会社である各提携ウエブサイト１１Ａ乃至１１Ｄは、それぞれ、画像データ、コンテンツデータ等の各種データを相互にリンクして送受信し、各提携ウエブサイト１１Ａ乃至１１Ｄとクライアント１２…も各種データを相互に送受信する。従って、広告主であるクライアント１２が管理会社１０に広告を申し込むと、申し込んだ広告データが管理会社１０とアフィリエイト契約を締結している他の全ての提携ウエブサイト１１Ａ乃至１１Ｄにも配信されることになる。
【００２２】
図２は広告の申し込みと、申し込んだ広告が他のサイトに反映している状態を示す説明図であって、図２に示すように、一般クライアント１２（パソコン教室経営者）が、
「生徒募集、
横浜駅より徒歩０分の好立地、および
当該パソコン教室のメールアドレス、」
の３行からなる三行広告を、たとえばウエブサイト１１Ａに申し込むと、当該三行広告が管理会社１０および他の各ウエブサイト１１Ｂ乃至１１Ｄに配信される。即ち、クライアント１２が所定のある提携ウエブサイト１１Ａに広告を申し込むと、管理会社１０とアフィリエイト契約を締結している他の全ての契約済みサイトにも、同じ広告が反映される。
【００２３】
図３と図４は、広告の仕様と、クライアント関係の画面であり、クライアント１２が広告を申し込むと、広告データは例えば提携ウエブサイト１１Ａに送信され、さらに、提携ウエブサイト１１Ａを介して管理会社１０に配信される。管理会社１０は、広告データを基に処理して、図３のＡ画面に示す広告仕様データと図４のＢ画面に示す広告仕様データを作成し、当該広告仕様データを提携ウエブサイト１１Ａを介してクライアント１２の画面に送信する。
【００２４】
図３はクライアント１２の画面上に示されたＡ画面であり、所定の三行広告の広告文２１と２２を含んでいる。図４はクライアント１２の画面上に示されたＢ画面であり、詳細説明場所２３、同カテゴリーの他の広告２４、広告出稿の窓口２４及び広告宣伝提携窓口２６を含んでいる。
【００２５】
図３のＡ画面上の広告文２１又は２２をクリックすると図４のＢ画面へジャンプする。当該画面データは、広告管理会社１０から貼り付けられており、提携ウエブサイト１１ＡからＢ画面の画面上に送信される。図４のＢ画面に示すように、三行広告クライアント専用ページには、画面Ａにてクリックした広告の詳細説明場所２３、同カテゴリーの他の広告２４、広告出稿の申し込み窓口２５及び広告宣伝提携の専用窓口２６が表示される。
【００２６】
ここで、三行広告とはウエブ上の文字広告であり、当該三行広告の広告文は、広告宣伝提携をしている全サイトに掲載される。広告文の表示位置は、提携ウエブサイト１１Ａ乃至１１Ｄの意志によって様々になる。提携ウエブサイトに貼り付けられた広告文は、プログラムによって公平に選ばれた広告文を自動的に表示する。表示された広告文をクリックすると、三行広告の提供する広告ページ（Ｂ画面）にジャンプする。広告出稿者（クライアント１２）は、広告文の行数を３行から５行の間で任意に選べる（基本は３行、増えるごとに料金増となる）。
【００２７】
また、図４のＢ画面は三行広告クライアント専用ページであって、Ａ画面に表示された文字広告をクリックすることによって、クリックした広告文専用であるＢ画面の書式のページにジャンプする。Ｂ画面の詳細説明場所２３は、クライアントが自由に編集できるものである。Ｂ画面の同カテゴリーの他の広告部分２４は、プログラムによる公平な判断で表示される。その理由は回遊性の向上である。Ａ画面のように三行広告を表示していた広告表示提携ウエブサイト経由で、広告出稿申し込みがあった場合、管理会社１０が定める報酬を支払う（アフィリエイト）。Ｂ画面の広告出稿申し込み窓口２５は、このページにしか存在しない。Ｂ画面の広告出稿窓口２５がこのページにしか存在しない理由は、広告宣伝提携ウエブサイトが、アフィリエイト報酬を得やすくするためである。広告出稿者は、Ｂ画面の詳細説明場所２３を１段から３段の間で任意に選べる（基本は１段、増えるごとに料金増しとなる）。
【００２８】
Ｂ画面の広告宣伝提携の申し込み窓口２６もこのページにしか存在しない。Ｂ画面の広告出稿の申し込み窓口２５と、広告宣伝提携の申し込み窓口２６がこのページにしか存在しない理由は、広告宣伝提携ウエブサイトが、アフィリエイト報酬を得やすくするためと、広告宣伝提携の申し込みをやりやすくするためである。広告出稿者は、Ｂ画面の詳細説明場所２３の段数を１段から３段の間で任意に選べる（基本は１段、増えるごとに料金増）。
【００２９】
図５は、上記Ｂ画面の広告出稿の申し込み窓口２５と、広告宣伝提携の申し込み窓口２６の詳細を説明した拡大図であって、広告出稿の申し込み窓口２５には、三行広告の特徴、掲載情報および掲載料金に関するコメントがあり、広告宣伝提携の申し込み窓口２６には、三行広告の特徴と報酬に関するコメントがある。２５Ｓと２６Ｓは各窓口２５，２６に設けた申し込み用のキーである。
【００３０】
図６は、提携ウエブサイトの動作の流れを示し、ステップＢ−１で、クライアント１２は運営サイトの三行広告を見る。ステップＢ−２で、三行広告のようにクライアント専用ページから提携ウエブサイト１１Ａ乃至１１Ｄの登録のページへ行く。ステップＢ−３で、ＩＤとパスワードを決め、提携に必要な情報を入力すると、提携ウエブサイト１１Ａ乃至１１Ｄの画面が表示される。提携ウエブサイト１１Ａ乃至１１Ｄの画面では、登録すべき項目が表示される。登録すべき項目としては、三行広告ＩＤ、確認用パスワードからなるもの、担当者名（姓）、担当者名（名）、フリガナ、郵便番号および都道府県名、メールアドレス等からなる三行広告会員情報、サイト名称、アフィリエイトサイト、一般サイト、アフィリエイトログ等の三行広告提携ウエブサイト登録フォーム、及び口座登録がある。
【００３１】
ステップＢ−４では、上記の時、申し込み人に対して専用のＩＤとパスワードが発行され、三行広告を管理する専用ページ（管理画面）が与えられ、承認待ち、承認済み、不可からなる承認の状態を確認すると、サイト名称、サイトのカテゴリーからなる提携ウエブサイトが登録される。ステップＢ−５で管理会社１０からの承認メールを待ち、ＩＤとパスワードを入力し管理画面上で承認の状態を確認する。ステップＢ−６で、管理会社１０側で違法性のない適切なサイトと判断されれば、承認の通知メールが届き、管理画面上の三行広告表示ソースページへ行き、申し込み人自身のサイトに三行広告表示タグを貼付する。
【００３２】
ステップＢ−７で上記手順にて申し込み、提携ウエブサイトとして運営しているとして、一般クライアント１２が提携ウエブサイト１１Ａ乃至１１Ｄに貼付された広告を通して三行広告の「申し込みページ」より申し込みをした場合は、課金の対象となる。ステップＢ−８で、三行広告の売り上げの５０％が提携ウエブサイト１１Ａ乃至１１Ｄの売り上げとなり、その料金は管理画面内でストックされ、提携ウエブサイト１１Ａ乃至１１Ｄ自身もストックされている料金で広告の出稿ができる。ステップＢ−９で、使用せずに払い出しを希望する場合は、最低払い出し金に達したら、払い出し希望を選択し、翌月の１０日に提携ウエブサイトの指定口座に管理者より振り込まれる。
【００３３】
図７は、管理会社１０の動作の流れを示し、ステップＣ−１で、提携ウエブサイトへ１１Ａ乃至１１Ｄの希望申し込みがあると管理画面に瞬時に反映され、管理者は違法性あるいは適性か否かを判断する。ステップＣ−２で、違法性がなければ、管理会社１０は管理画面より承認し、承認の通知、および三行広告表示ソースページのＵＲＬアドレスをメールで上記提携ウエブサイト１１Ａ乃至１１Ｄに通知する。ステップＣ−３で管理会社１０は、提携ウエブサイト１１Ａ乃至１１Ｄに三行広告の広告タグが表示されているかを確認する。ステップＣ−４で、提携ウエブサイト１１Ａ乃至１１Ｄが払い出しを希望した際は月末を締め日とし、翌月の１０日に支払いをする。ステップＣ−５で、一般クライアント１２より三行広告の申し込みがあると、管理画面に瞬時に反映され、管理会社１０は違法性がないかを判断する。ステップＣ−６で、違法性がなければ管理会社１０は、管理画面内より承認し、承認の通知、及び入金先等の案内メールをクライアント１２へ自動送信する。ステップＣ−７で、指定口座に入金したことを確認できれば、管理会社１０は、管理画面内より瞬時に広告を掲載できる出稿を選択し、本掲載となる。
【００３４】
図８は、三行広告を申し込む場合のクライアント１２の動作の流れを示す。ステップＡ−１で、クライアント１２は提携（他社）ウエブサイト１１Ａ乃至１１Ｄに載っている三行広告を見る。ステップＡ−２でクライアント専用ページから申し込みページへ行く。ステップＡ−４で管理会社１０は、クライアント専用ページで表示されるＰＲコメントと三行広告および画像を登録し、確認画面を見る。ステップＡ−５で管理会社１０は、確認画面を見て間違いなければ、送信ボタンを押す。ステップＡ−３、Ａ−４、Ａ−５では、顧客情報として、パスワード、確認用パスワードからなる三行広告ＩＤ、担当者名、郵便番号住所およびメールアドレスからなる広告会員情報、およびサイト名称、サイトカテゴリーを入力する。
【００３５】
ステップＡ−６で上記の時、申込人に対して専用のＩＤとパスワードが発行され、三行広告を管理する専用ページ（管理画面）が与えられる。
【００３６】
ステップＡ−７で管理会社１０からの承認メールを待つ。次に、ＩＤとパスワードを入力し管理画面上で、承認待ち、入金待ち、掲載中などの承認の状態を確認する。ステップＡ−８で違法性のない広告と判断されれば、料金と入金（振り込み）先を明記したメールがクライアント１２のメールアドレスに送信される。ステップＡ−９でクライアント１２は広告の月間使用料を払っておれば、期間内は書き換えも可能である。
【００３７】
上述したように、本発明の実施例による広告情報提供システムによれば、クライアント１２は三行広告の申し込みを、三行広告が掲載されているクライアント画面上から行える。また、提携ウエブサイト１１Ａ乃至１１Ｄへの登録を希望するクライアント１２は、広告会社（管理会社）１０との提携申し込みを、三行広告が掲載されている当該クライアント１２の画面上から行えるので、提携ウエブサイト１１Ａ乃至１１Ｄによる管理会社との提携が簡単になる。投稿された広告が管理会社１０が用意したリンク集に掲載され、コミニュティ広場では類似の広告をまとめて見ることができる。さらに、クライアント１２がある提携ウエブサイト１１Ａ〜１１Ｄに広告を申し込むと、広告の自動相互リンクにより、管理会社１０とアフィリエイト契約を締結している他の全ての契約済みウエブサイト１１Ａ〜１１Ｄにも同じ広告が反映されて、広告の機会が広げられる。
【図面の簡単な説明】
【００３８】
【図１】本発明の実施例による広告情報提供システムの概略構成を示すブロック図。
【図２】本発明の広告申し込みと、申し込んだ広告が他の提携ウエブサイトに反映している状態を説明した説明図。
【図３】ある提携ウエブサイトの広告が掲載された画面。
【図４】図３の三行広告文をクリックすることにより表示される詳細画面。
【図５】本発明の実施例による広告情報提供システムにおける広告申し込み用と提携申し込み用の各キー部分の拡大図。
【図６】本発明の実施例による広告情報提供システムにおける提携ウエブサイトの動作を説明した流れ図。
【図７】本発明の実施例による広告情報提供システムにおける管理会社の動作を説明した流れ図。
【図８】本発明の実施例による広告情報提供システムにおけるクライアントの動作を説明した流れ図。
【符号の説明】
【００３９】
１０            管理会社
１１Ａ〜１１Ｄ          提携ウエブサイト
１２            広告主であるクライアント
１３            通信網であるインターネット
２１，２２      広告文
２３            詳細説明場所
２４            同一カテゴリーの他の広告
２５            広告出稿の申し込み窓口
２６            広告宣伝提携の申し込み窓口
２７            広告申し込み用コメント
２８            提携申し込み用コメント
【図１】
2008015603.tif 000003
【図２】
2008015603.tif 000004
【図３】
2008015603.tif 000005
【図４】
2008015603.tif 000006
【図５】
2008015603.tif 000007
【図６】
2008015603.tif 000008
【図７】
2008015603.tif 000009
【図８】
2008015603.tif 000010